(57)【要約】【課題】家具設置場所の建物天井面に突っ張らせて転倒を防止するための突っ張り装置を備えた家具を改良する。【解決手段】家具の上端に、天井板１２よりも上方に突出する左右両側板部９ａ，１０ａ、背板部（帯状背板１４）、及び前板部（帯状前板１３）から成る囲み枠１５で囲まれた矩形凹入空間１６が形成され、この矩形凹入空間１６内に突っ張り用板状体２１が嵌脱及び昇降自在に遊嵌され、この突っ張り用板状体２１を支持して押し上げる複数本の押上用ボルト１７ａ，１７ｂが前記天井板１２に設けられた構成。【選択図】図２
2007209496.tif 000002
【特許請求の範囲】
【請求項１】
家具上端の天井板の上側に、少なくとも左右両側板部と前板部とを有する囲み枠で囲まれた矩形凹入空間が形成され、この矩形凹入空間内に突っ張り用板状体が嵌脱及び昇降自在に遊嵌され、この突っ張り用板状体を支持して押し上げる複数本の押上用ボルトが前記天井板に設けられている、突っ張り装置付き家具。
【請求項２】
天井板上側の囲み枠は、矩形凹入空間の四方全てを囲むように左右両側板部、前板部、及び背板部を備えている、突っ張り装置付き家具。
【請求項３】
突っ張り用板状体を押上用ボルトで押し上げてこの家具の設置位置における建物天井面にこの突っ張り用板状体を押し付けたとき、当該突っ張り用板状体の全体が前記囲み枠から上方に出てしまわないように、前記囲み枠を含むこの家具の高さが設定されている、請求項１又は２に記載の突っ張り装置付き家具。
【請求項４】
押上用ボルトは、上端に相対回転自在な押し盤を備えたもので、突っ張り用板状体の底面には、押上用ボルトの押し盤が嵌合する凹部が形成されている、請求項１〜３の何れか１項に記載の突っ張り装置付き家具。
【請求項５】
前記囲み枠の前板部は、この家具の収納空間の前側を開閉する扉とは別に天井板に付設されている、請求項１〜４の何れか１項に記載の突っ張り装置付き家具。
【請求項６】
前記前板部が着脱自在又は開閉自在に取り付けられ、前記囲み枠の前側を開放できるように構成された、請求項５に記載の突っ張り装置付き家具。
【請求項７】
前記囲み枠の前板部は、この家具の収納空間の前側を開閉する扉の天井板より上方に突出する扉上端部で構成されている、請求項１〜６の何れか１項に記載の突っ張り装置付き家具。
【発明の詳細な説明】
【技術分野】
【０００１】
本発明は、家具設置場所の建物天井面に突っ張らせて転倒を防止するための突っ張り装置を備えた家具に関するものである。
【背景技術】
【０００２】
地震時の家具の転倒防止手段として、特許文献を示すことはできないが、家具の上端に複数本の押上用ボルトで突っ張り用板状体を支持して成る突っ張り装置が知られている。この種の突っ張り装置付き家具は、突っ張り用板状体を下げた状態で家具を設置した後、複数本の押上用ボルトで突っ張り用板状体を押し上げ、当該突っ張り用板状体を建物天井面に押し付けて突っ張らせることにより家具の転倒を防止しようとするものである。
【発明の開示】
【発明が解決しようとする課題】
【０００３】
上記のような構成の従来周知の突っ張り装置付き家具では、突っ張り用板状体は複数本の押上用ボルトによってのみ家具上端に支持されるものであるから、各押上用ボルト上端に相対回転自在な押し盤を設け、この各押し盤を突っ張り用板状体の底面にねじ止めしなければならないので、組み立てコストがかかる。しかも、突っ張り用板状体を建物天井面に押し付けて突っ張らせるまでは、突っ張り用板状体は不安定であり、家具の設置作業時などに突っ張り用板状体が他物に当たらないように注意が必要である。さらに最大の問題点は、突っ張り用板状体を建物天井面に押し付けて家具を固定した状態においても、家具上端と建物天井面との間に空間が残り、複数本の押上用ボルトと建物天井面に接する突っ張り用板状体とが見えてしまうので見栄えが悪い、という点にある
【課題を解決するための手段】
【０００４】
本発明は上記のような従来の問題点を解消し得る突っ張り装置付き家具を提供することを目的とするものであって、その手段を後述する実施形態の参照符号を付して示すと、家具上端の天井板１２の上側に、少なくとも左右両側板部９ａ，１０ａと前板部（帯状前板１３）とを有する囲み枠１５で囲まれた矩形凹入空間１６が形成され、この矩形凹入空間１６内に突っ張り用板状体２１が嵌脱及び昇降自在に遊嵌され、この突っ張り用板状体２１を支持して押し上げる複数本の押上用ボルト１７ａ，１７ｂが前記天井板１２に設けられた構成になっている。
【０００５】
上記構成の本発明を実施するについて、具体的には請求項２に記載のように、天井板１２の上側の囲み枠１５は、矩形凹入空間１６の四方全てを囲むように左右両側板部９ａ，１０ａ、前板部（帯状前板１３）、及び背板部（帯状背板１４）を備えたものとすることができる。又、請求項３に記載のように、突っ張り用板状体２１を押上用ボルト１７ａ，１７ｂで押し上げてこの家具の設置位置における建物天井面２３にこの突っ張り用板状体２１を押し付けたとき、当該突っ張り用板状体２１の全体が前記囲み枠１５から上方に出てしまわないように、前記囲み枠１５を含むこの家具の高さを設定しておくことができる。
【０００６】
又、請求項４に記載のように、押上用ボルト１７ａ，１７ｂは、上端に相対回転自在な押し盤１９ａ，１９ｂを備えたものとし、突っ張り用板状体２１の底面には、押上用ボルト１７ａ，１７ｂの押し盤１９ａ，１９ｂが嵌合する凹部２２ａ，２２ｂを形成しておくことができる。特にこの構成は、天井板１２の上側の囲み枠１５を、矩形凹入空間１６の左右両側と前側の三方のみを囲むように、左右両側板部９ａ，１０ａと前板部（帯状前板１３）のみから構成する場合に効果的である。
【０００７】
前記囲み枠１５の前板部（帯状前板１３）は、請求項５に記載のように、この家具の収納空間の前側を開閉する扉７ａ，７ｂとは別に天井板１２に付設することができる。この場合、前記扉７ａ，７ｂは、その上端部が前記前板部（帯状前板１３）に被さるように高くしても良いし、前記前板部（帯状前板１３）より低い扉であっても良い。又、請求項６に記載のように、前記前板部（帯状前板１３）を着脱自在又は開閉自在に取り付け、前記囲み枠１５の前側を開放できるように構成することができる。
【０００８】
更に、請求項７に記載のように、前記囲み枠１５の前板部は、この家具の収納空間の前側を開閉する扉７ａ，７ｂの天井板１２より上方に突出する扉上端部で構成することも可能である。
【発明の効果】
【０００９】
上記構成の本発明に係る突っ張り装置付き家具によれば、家具設置時に複数本の押上用ボルトで押し上げる突っ張り用板状体が、家具上端の天井板の上側で囲み枠により少なくとも背面側を除く三方を囲まれた矩形凹入空間内（背面側は通常建物の壁面で閉じられる）に嵌脱及び昇降自在に遊嵌されているので、仮に突っ張り用板状体を複数本の押上用ボルトの上に載せただけであっても、当該突っ張り用板状体の水平二次元位置を前記囲み枠で規制することができる。従って組み立てに際して、各押上用ボルト上端に相対回転自在な押し盤を設け、この各押し盤を突っ張り用板状体の底面にねじ止めすることが必須要件でなくなり、組み立てコストを低減できる。しかも家具設置までは、突っ張り用板状体を家具上端の囲み枠の内側に嵌め込んで位置決めすると共に保護しておけるので、設置作業が容易に行えるし、突っ張り用板状体が他物に当たって押上用ボルトに無理な横向き外力が働き、後の押し上げ操作に支障を来すような恐れもない。
【００１０】
特に請求項２に記載の構成によれば、突っ張り用板状体の底面に各押上用ボルトの上端部が嵌合する凹部を形成しないで、単に突っ張り用板状体の平坦な底面を各押上用ボルトの上端部に載せるだけの構成であっても、突っ張り用板状体を確実に矩形凹入空間内に位置決めすることができると共に、当該突っ張り用板状体に対する保護効果が高められる。
【００１１】
尚、上端が天井付近に達する高さの大きな一体型家具の他、上下積み重ね式の家具における上台や、他の家具の上に載置する上置き家具などにおいて、家具高さ（家具設置場所の天井高さ）を指定してオーダーできる製造販売システムが利用される場合がある。このような製造販売システムで取り扱われる家具に本発明を実施する場合、指定された家具設置場所の天井高さ（上台又は上置き家具の場合は、下台又は下置き家具からの天井高さ）よりも囲み枠を含む家具全体の高さが突っ張り用板状体の高さ（厚さ）の範囲内で一定高さだけ低くなるように、本発明による突っ張り装置付き家具を製造すれば、請求項３に記載のように、突っ張り用板状体を押上用ボルトで押し上げて建物天井面に突っ張り用板状体を押し付けたときも、当該突っ張り用板状体の全体が前記囲み枠から上方に出てしまうことがない。即ち、請求項３に記載の構成によれば、突っ張り装置を働かせて家具を固定した状態でも、家具上端から突っ張り用板状体の高さ（厚さ）の一部が建物天井面下に見えるだけで、家具上端と建物天井面との間に空間が形成されないので、家具設置場所の見栄えが格段に良くなるだけでなく、家具に水平横方向の外力が作用したときに押上用ボルトに無理な曲げ力が働くのを突っ張り用板状体と家具上端の囲み枠との水平方向の当接により防止でき、家具の安定性向上と確実で強力な転倒防止効果が得られる。
【００１２】
又、請求項４に記載の構成によれば、押上用ボルト上端の押し盤とこれが嵌合する突っ張り用板状体側の凹部との間の水平方向の遊びを小さくするだけで、囲み枠と突っ張り用板状体との間の水平方向の遊びが比較的大きくとも、突っ張り用板状体を最小限の２本の押上用ボルトでも安定的に支持させ、所期の突っ張り作用を確実に行わせることができる。
【００１３】
又、本発明は請求項５〜７に記載のように構成して実施することができるが、特に請求項６や７に記載の構成によれば、突っ張り用板状体を押し上げ操作するときに前記囲み枠の前側を開放し（請求項７に記載の構成では、扉を開く）、建物天井面への突っ張り用板状体の圧接状態を目視で確認しながら確実に家具を固定できる。又、請求項７に記載の構成によれば、突っ張り用板状体を囲むために必要な囲み枠の構成板材を扉の上端部で兼用させることができるので、扉の上端が建物天井面近くに位置するデザインの家具を構成する場合に、使用材料を節減してコストダウンを図ることができる。
【発明を実施するための最良の形態】
【００１４】
図１は本発明を適用できる各種家具を示しており、図１Ａに示すものは、床面から建物天井面近くに達する高さの大きな一体型家具１であり、図１Ｂに示すものは、積み重ね家具下台２の上に重ね置きされて１つの積み重ね家具３を構成する積み重ね家具上台４である。図１Ｃに示すものは、他の下置き家具５やカウンターなどの上に置かれる上置き家具６である。これら家具１，４，６は、内部に収納空間を備えるが、一例として当該収納空間を開閉するアウトセットタイプの両開き扉７ａ，７ｂを前面に備えたものが示されている。
【００１５】
本発明は、上記のような各種家具１，４，６に対して実施することができるが、以下に説明する本発明の一実施形態では、これら各種家具１，４，６に共通の家具本体８の上端部の構成を示している。即ち、図２〜図４に示すように、家具本体８は、左右両側板９，１０、背板１１、天井板１２、及び図外に位置する底板などから構成された前側開放の箱型のもので、この実施形態では、内部の収納空間の前側開放部がアウトセットタイプの両開き扉７ａ，７ｂによって開閉される。
【００１６】
天井板１２は、左右両側板９，１０の上端より低い高さで当該左右両側板９，１０間に架設され、背板１１は、左右両側板９，１０及び天井板１２の後側辺に沿って形成された溝に嵌め込まれた薄板から構成されている。そして天井板１２の前後両側辺の上側には、上端が左右両側板９，１０の上端と面一の帯状前板１３及び帯状背板１４が、左右両側板９，１０及び天井板１２と固着される状態で付設されている。この構成により、左右両側板９，１０の上端部で天井板１２より上方に突出する左右両側板部９ａ，１０ａ、帯状前板１３、及び帯状背板１４で構成される囲み枠１５で周囲が囲まれた矩形凹入空間１６が形成されている。
【００１７】
天井板１２には、左右一対の押上用ボルト１７ａ，１７ｂが取り付けられている。これら両押上用ボルト１７ａ，１７ｂは、天井板１２に上側より埋め込み固定された雌ねじ体（ナット）１８ａ，１８ｂを上下方向に螺合貫通し、上端にはこの押上用ボルト１７ａ，１７ｂに対して相対回転自在に、板材を円錐形にプレス加工した押し盤１９ａ，１９ｂが上向きに取り付けられると共に、下端には回転操作部２０ａ，２０ｂが設けられている。図示のものは、角軸状の回転操作部２０ａ，２０ｂを示しているが、同心状に形成された角孔から成るものや、直径方向に貫通するレバーなど、如何なるものであっても良い。
【００１８】
囲み枠１５の内側、即ち、矩形凹入空間１６内には、突っ張り用板状体２１がこの矩形凹入空間１６内に対して脱着及び昇降自在に嵌め込まれ、前記一対の押上用ボルト１７ａ，１７ｂで支持されている。この突っ張り用板状体２１は、天井板１２などと略同一厚さの１枚の板体から成るもので、その底面には、一対の押上用ボルト１７ａ，１７ｂの上端の押し盤１９ａ，１９ｂが丁度嵌合する浅い円形の凹部２２ａ，２２ｂが形成され、この凹部２２ａ，２２ｂと一対の押上用ボルト１７ａ，１７ｂの押し盤１９ａ，１９ｂとの嵌合により、矩形凹入空間１６内での突っ張り用板状体２１の水平二次元方向の位置が決められ、当該突っ張り用板状体２１の四辺とこれに隣接する囲み枠１５の内面との間に略一定の間隙が確保される。又、一対の押上用ボルト１７ａ，１７ｂで支持される突っ張り用板状体２１が略水平姿勢を保持できるように、当該一対の押上用ボルト１７ａ，１７ｂは、突っ張り用板状体２１の前後奥行き方向の略中央位置で且つ左右両側辺近傍の略左右対称２箇所を支持するように配置されている。
【００１９】
上記構成の突っ張り装置を備えた一体型家具１又は積み重ね家具上台４若しくは上置き家具６は、図２Ａに示すように、家具設置場所の天井高さＨ１（積み重ね家具上台４又は上置き家具６の場合は、積み重ね家具下台２又は下置き家具５からの天井高さ）よりも囲み枠１５を含む家具全体の高さＨ２が突っ張り用板状体２１の高さ（厚さ）ｄより小さい一定高さαだけ低くなるように、製造される。従って、家具１，４，６の設置に際しては、一対の押上用ボルト１７ａ，１７ｂをねじ戻して天井板１２に対し降下させ、支持する突っ張り用板状体２１の全体を囲み枠１５の内側（矩形凹入空間１６内）に降下収納させておくことにより、建物天井面２３と家具上端（囲み枠１５の上端）との間に確保されている空隙αを利用し、家具１，４，６を床面上又は積み重ね家具下台２上若しくは下置き家具５上で滑らせて容易に所定位置に設置することができる。
【００２０】
家具１，４，６の位置が決まったならば、扉７ａ，７ｂを開いて天井板１２の下側に突出している一対の押上用ボルト１７ａ，１７ｂを、その回転操作部２０ａ，２０ｂを利用してねじ込み方向に回転上昇させ、支持する突っ張り用板状体２１を上昇させる。この結果、突っ張り用板状体２１の上面を建物天井面２３に圧接させることができるが、囲み枠１５を含む家具全体の高さＨ２が上記の通り正確に設定されている限り、図２Ａに示すように、突っ張り用板状体２１はその底面側の一部分が囲み枠１５の内側（矩形凹入空間１６内）に嵌合している状態で突っ張り用板状体２１の上面が建物天井面２３に圧接することになる。
【００２１】
勿論、建物天井面２３と家具設置面とが完全に並行でなくて多少相対的に傾斜していても、突っ張り用板状体２１は一対の押上用ボルト１７ａ，１７ｂで支持されているだけであるから、この一対の押上用ボルト１７ａ，１７ｂのねじ込み量の加減と両押上用ボルト１７ａ，１７ｂに対する突っ張り用板状体２１の前後奥行き方向の上下傾動とにより、突っ張り用板状体２１の上面全体を確実に建物天井面２３に圧接させることができる。
【００２２】
上記のように突っ張り用板状体２１を押し上げてその上面全体を建物天井面２３に圧接させることにより、家具１，４，６の据え付けが完了し、地震発生時などにおいて当該家具１，４，６が転倒するのを建物天井面２３に対する突っ張り用板状体２１の圧接による突っ張り作用で確実に防止できる。又、上記の条件で設定される家具高さＨ２よりも実際に製造された家具１，４，６の高さが低くなった場合、一対の押上用ボルト１７ａ，１７ｂにより突っ張り用板状体２１を押し上げて建物天井面２３に圧接させたとき、当該突っ張り用板状体２１の全体が囲み枠１５内より上方に突出してしまう可能性があるが、この状態においても従来の突っ張り装置と同様の転倒防止効果は期待できる。家具１，４，６を移動させるときは、一対の押上用ボルト１７ａ，１７ｂをねじ戻して突っ張り用板状体２１を囲み枠１５の内側（矩形凹入空間１６内）に降下させ、建物天井面２３から下方に離間させれば良い。
【００２３】
上記実施形態では、アウトセットタイプの扉７ａ，７ｂの上端が囲み枠１６の上端（帯状前板１３の上端）より若干低く、当該閉じた扉７ａ，７ｂの上端部が囲み枠１６の帯状前板１３の前側に重なる構造である。従って、扉７ａ，７ｂを開いても囲み枠１６の内側の矩形凹入空間１６内が直接見えることはないので、家具としての見栄えは良いが、扉７ａ，７ｂを開いたときに囲み枠１６の内側の矩形凹入空間１６内、即ち、突っ張り用板状体２１やこれを支持している一対の押上用ボルト１７ａ，１７ｂなどが見えても差し支えない場合には、図５に示すように、囲み枠１６の帯状前板１３は省くこともできる。この場合は、閉じた扉７ａ，７ｂの上端部が囲み枠１６の帯状前板を兼ねることになり、設置場所に家具を置くまで扉７ａ，７ｂを閉じて囲み枠１６を形成しておきさえすれば、突っ張り用板状体２１を矩形凹入空間１６内に降下収納させた状態で保護できると共に、突っ張り用板状体２１が当該矩形凹入空間１６内から水平横方向に脱落する恐れも解消できる。
【００２４】
尚、先の実施形態のように帯状前板１３を使用して囲み枠１６を構成するときは、図６に示すように、扉７ａ，７ｂは囲み枠１６より下側の領域に配設して、常に帯状前板１３が家具正面側に露出しているように構成しても良い。勿論、扉７ａ，７ｂは、仮想線で示すようにインセットタイプのものであっても良いし、引き戸や扉の無い家具としても実施できる。
【００２５】
又、帯状前板１３を使用して囲み枠１６を構成するときは、当該帯状前板１３を開閉自在に構成したり、着脱自在に構成して、突っ張り用板状体２１を押し上げ操作するときに帯状前板１３を開くか取り外して、囲み枠１６の前側（矩形凹入空間１６の前側）を開放し、突っ張り用板状体２１と建物天井面２３との圧接状態を観察しながら押上用ボルト１７ａ，１７ｂを操作できるようにすることができる。
【００２６】
帯状前板１３を開閉自在に構成する場合、帯状前板１３の左右一側辺を蝶番で左右両側板部９ａ，１０ａの何れか一方に支承し、帯状前板１３を手前水平横側方に開動できるように構成しても良い（左右横巾が広いときは帯状前板１３を左右に分割して両開きとすることができる）が、図７に示すように、帯状前板１３の下辺を天井板１２の前辺部に蝶番２４により起伏開閉自在に支承して、帯状前板１３を手前下方に開動させることができるように構成するのが望ましい。又、帯状前板１３を着脱自在に構成する場合は、図８に示すように、例えば帯状前板１３の内側左右両側辺と左右両側板部９ａ，１０ａの内側前辺とに取り付けられる係止手段２５を利用するのが望ましい。この係止手段２５は、帯状前板１３側に取り付けられる係止具２６ａと、左右両側板部９ａ，１０ａ側に取り付けられる被係止具２６ｂとからなり、帯状前板１３で係止具２６ａを被係止具２６ｂに押し込むように操作することにより、係止具２６ａと被係止具２６ｂとが自動的に係合して帯状前板１３を所定位置で保持し、係止具２６ａと被係止具２６ｂとの係合力に抗して帯状前板１３を手前に引き出すことにより、係止具２６ａと被係止具２６ｂとの係合を解除して帯状前板１３を手前に取り外すことができるものである。
【００２７】
尚、囲み枠１５を構成する背板として、家具本体８を構成する背板１１とは別に天井板１２の上に帯状背板１４を付設したが、背板１１が適当な厚さの板材で構成されているときは、当該背板１１を左右両側板９，１０と同一高さとし、天井板１２をこれら左右両側板９，１０及び背板１１の上端よりも適当に下がった位置に架設して、背板１１の上端部を囲み枠１５を構成する帯状背板に兼用させても良い。この逆に、家具上端に天井板１２が位置する一般的な家具の天井板１２の周囲にそれぞれ帯状の左右両側板、前板、及び背板を付設して、囲み枠１５（矩形凹入空間１６）を構成しても良い。更に、突っ張り板状体２１として１枚の厚板を使用したが、矩形板の全側辺又は後側辺を除く三側辺に当該矩形板の板厚より高さのある帯状板を付設して、周囲の高さ（厚さ）を大きくした突っ張り板状体を使用することもできる。この場合、周囲の帯状板を矩形板の上面と面一か若干低くして、矩形板の上面全体を確実に建物天井面２３に圧接させることができるように構成するのが望ましい。
【図面の簡単な説明】
【００２８】
【図１】本発明を適用できる各種家具を示す斜視図であって、Ａ図は一体型家具、Ｂ図は積み重ね家具下台に重ねられて１つの積み重ね家具を構成する積み重ね家具上台、Ｃ図は他の家具の上に置かれる上置き家具を示す。
【図２】本発明の一実施形態における家具上端部を示す図で、Ａ図は使用状態での一部縦断正面図、Ｂ図は一部切欠き平面図である。
【図３】同実施形態における突っ張り用板状体を上方に切り離した状態での縦断正面図である。
【図４】図３と同一状態での縦断側面図である。
【図５】第二実施形態を示す使用状態の縦断側面図である。
【図６】第三実施形態を示す使用状態の縦断側面図である。
【図７】第四実施形態を示す使用状態の縦断側面図である。
【図８】第五実施形態を示す平面図である。
【符号の説明】
【００２９】
１    一体型家具
２    積み重ね家具下台
３    積み重ね家具
４    積み重ね家具上台
５    下置き家具
６    上置き家具
７ａ，７ｂ    扉
８    家具本体
９，１０    左右両側板
１１    背板
１２    天井板
１３    帯状前板
１４    帯状背板
１５    囲み枠
１６    矩形凹入空間
１７ａ，１７ｂ    押上用ボルト
１８ａ，１８ｂ    雌ねじ体（ナット）
１９ａ，１９ｂ    押し盤
２０ａ，２０ｂ    回転操作部
２１    突っ張り用板状体
２２ａ，２２ｂ    凹部
２３    建物天井面
２４    蝶番
２５    係止手段
２６ａ    係止具
２６ｂ    被係止具
【図１】
2007209496.tif 000003
【図２】
2007209496.tif 000004
【図３】
2007209496.tif 000005
【図４】
2007209496.tif 000006
【図５】
2007209496.tif 000007
【図６】
2007209496.tif 000008
【図７】
2007209496.tif 000009
【図８】
2007209496.tif 000010
【手続補正書】
【提出日】平成18年2月13日(2006.2.13)
【手続補正１】
【補正対象書類名】特許請求の範囲
【補正対象項目名】請求項２
【補正方法】変更
【補正の内容】
【請求項２】
天井板上側の囲み枠は、矩形凹入空間の四方全てを囲むように左右両側板部、前板部、及び背板部を備えている、請求項１に記載の突っ張り装置付き家具。